【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
印鑑を収める外ケース内に、印鑑の印影や捺印した使用先、用向き等を記録した備忘録を収める蓋付き中ケースを設けたことを特徴とする印鑑入れ。
【請求項２】
印鑑を収める外ケースの内側とこれに収める印鑑との間に着脱可能な半円形カバーを設けて印鑑の印影や捺印した使用先、用向き等を記録した備忘録を収めるように構成したことを特徴とする印鑑入れ。
【請求項３】
印鑑を収める外ケース内に、該印鑑の印影や捺印した使用先、用向き等を記録した備忘録を収める着脱可能な中カバーを設け、上記外ケース及び上記中カバーをそれぞれ外側から見て円柱形に形成したことを特徴とする印鑑入れ。
【請求項４】
前記外ケースが、樹脂で固めた炭素繊維を着色した耐火材で被った素材で形成されていることを特徴とする請求項１〜３のいずれかに記載の印鑑入れ。
【請求項５】
印鑑を収める外ケースが透過性をもたせた素材で形成されていることを特徴とする請求項１〜３のいずれかに記載の印鑑入れ。
【手続補正２】
【補正対象書類名】明細書
【補正対象項目名】０００２
【補正方法】変更
【補正の内容】
【０００２】
【従来の技術】
従来より、実印、銀行届出印などを収める単体の印鑑入れとしては、皮、プラスチック、布、ビニール等で作られ、小さな朱肉入れがケースの内側に組み込まれている印鑑入れが、広く知られている。
【手続補正３】
【補正対象書類名】明細書
【補正対象項目名】０００３
【補正方法】変更
【補正の内容】
【０００３】
【発明が解決しようとする課題】
しかしながら、上記従来の印鑑入れには、次のような欠点があった。
（イ）大切な印鑑を収納する上記タイプの印鑑入れのケースは、材質も、色も類似しているため、複数本の印鑑入れを同じ場所に保管する場合、必要とする印鑑入れを間違え易い。
（ロ）材質も、色も類似している印鑑入れを複数本持っている場合、収められている印鑑が、外からは見えないため、必要とする印鑑を間違え易い。
（ハ）識別するために、見出しシール等を印鑑ケースの外側に貼っても、ベタついたり、とれ易い。
（ニ）印鑑入れ の外ケースは、耐火性に乏しい。
本発明は、以上の欠点を解決するために、なされたものである。
【手続補正４】
【補正対象書類名】明細書
【補正対象項目名】０００４
【補正方法】変更
【補正の内容】
【０００４】
【課題を解決するための手段】
上記課題を解決するため、本願発明の請求項１に係る印鑑入れにあっては、印鑑を収める外ケース内に、印鑑の印影や捺印した使用先、用向き等を記録した備忘録を収める蓋付き中ケースを設けたことを特徴とする。
また、請求項２に係る印鑑入れにあっては、印鑑を収める外ケースの内側とこれに収める印鑑との間に着脱可能な半円形カバーを設けて印鑑の印影や捺印した使用先、用向き等を記録した備忘録を収めるように構成したことを特徴とする。
請求項３に係る印鑑入れにあっては、印鑑を収める外ケース内に、該印鑑の印影や捺印した使用先、用向き等を記録した備忘録を収める着脱可能な中カバーを設け、上記外ケース及び上記中カバーをそれぞれ外側から見て円柱形に形成したことを特徴とする。
請求項４に係る印鑑入れにあっては、前記外ケースが、樹脂で固めた炭素繊維を着色した耐火材で被った素材で形成されていることを特徴とする。
請求項５に係る印鑑入れにあっては、印鑑を収める外ケースが透過性をもたせた素材で形成されていることを特徴とする。
【手続補正５】
【補正対象書類名】明細書
【補正対象項目名】０００５
【補正方法】変更
【補正の内容】
【０００５】
【発明の実施の形態】
以下、本発明の実施の形態について説明する。
まず、請求項１及び請求項２に対応する実施の形態を図１乃至図４を参照して説明する。図示されるように、蝶番（３）と留金（５）により開閉する単体の印鑑入れの外ケース（１）において、外ケース（１）は、樹脂で固めた炭素繊維を、着色した耐火材で覆った素材で形成し、外ケース（１）内部に、記憶忘れに依るトラブルを防ぐ備忘録を収める蓋付き中ケース（９）を設ける（請求項１）。
この蓋付き中ケース（９）は、中ケース蓋（４）と記録入れ（７）の両部材で構成され、互いが蝶番式にて開閉可能なように、かつ、印鑑収納部近辺に着脱自在に形成される。更に外ケース（１）の内側と外ケース（１）内に納める印鑑との間に、印鑑に合わせた長さ、幅をもつ、着脱可能な半円形カバー（８）を設け、別の備忘録入れとする（請求項２）。この半円形カバー（８）による別の備忘録入れは、ケース内側にメモなどを入れ、その上に当該半円形カバー（８）で半ば隠すような形で覆い、さらにこの上に印鑑を収めるという形で使用し、いわば隠し収納部的に形成するものである。
従って、前記耐火材が別様に色分けされた色違いの印鑑入れを使用した場合には、外ケース１を開けなくても印鑑入れ同士の区別が可能となるし、長期間保管する場合に起こる、どの相手先、どの用向き先か等の記憶忘れに依るトラブルも、備忘録により解消されることになる。
【手続補正６】
【補正対象書類名】明細書
【補正対象項目名】０００６
【補正方法】変更
【補正の内容】
【０００６】
別の実施例としては、外ケース（１）を開けなくても、これに収めてある印鑑をより判別し易くるために、外ケース（１）に透過性をもたせた素材を用いて形成してもよい。この際、透過性をもたせた各単体の外ケース（１）は、各々別様に着色し、豊富なカラーバリエイションを生じさせ、内容、目的に応じた、識別しやすい印鑑入れとして形成することがより望ましい。又、他の構成部は前記と同様に、備忘録を収める蓋付き中ケース（９）を記録入れ（７）として設け、さらに、印鑑に合わせた長さ、幅をもつ着脱可能な半円形カバー（８）を別の備忘録入れとして、印鑑入れの外ケース（１）内側と、これに収める印鑑との間に設ける。このようにすると、前記したように、外ケース１を開けなくても印鑑が判明するし、備忘録により、長期間保管する場合に起こる、どの相手先、どの用向き先か等の記憶忘れに依るトラブルが解消される。
【手続補正７】
【補正対象書類名】明細書
【補正対象項目名】０００８
【補正方法】変更
【補正の内容】
【０００８】
更なる他の応用例として、外ケースを、布、皮革で筒形状に形成し、印鑑の入れ口を、巾着型とし、収める印鑑と同じ長さ、円周をもつ、着脱可能な筒状型カバーを衝撃に抗し得る素材で形成し、外ケースと印鑑との間に設けることで、備忘録を収めることが可能となる。この際、単色であっても外ケースの色の種類を複数用意すること、絵、柄、イニシャル、記号を加えることで、ファッション性、利便性のある、印鑑ケースを提供することが可能となる。
このように本発明に係る実施の形態によれば、従来からある単体の印鑑入れに比べて、外ケースが、耐火性に優れ、また、耐火材の色のバージョンを増やすことで外ケースを開けなくても、必要とする印鑑が容易に判明する。又、長期間保管する場合に起こる、どの相手先、どの用向き先か等の記憶忘れに依るトラブルも、記録した備忘録入れとして、ケースの内側に、蓋付き中ケース若しくは着脱可能の半円形カバーを、印鑑ケースの内側と当該印鑑との間に設けることで解決する。また、円柱形をした印鑑ケースの実施の形態にあっては、外ケースの内側に、着脱可能な円柱形中カバーを外ケースと当該印鑑との間に設けることで、記録した備忘録を収めることが可能となり、トラブルを解決できる。又、外ケースを色分けしたり、透過性をもたせることで、豊富な形式、豊富な色の印鑑入れを提供でき、老若男女が個性、用向きに合わせ、選択することが可能となる。
【手続補正８】
【補正対象書類名】明細書
【補正対象項目名】０００９
【補正方法】変更
【補正の内容】
【０００９】
【発明の効果】
以上、説明したことから明らかなように本発明によれば次の如き優れた効果が発揮される。
（１）印鑑入れの外ケース内に印鑑の印影や捺印した使用先、用向き等を記録した備忘録を収めるようにしたので、どの相手先、どの用向き先か等の記憶忘れに依るトラブルを解消できる（請求項１乃至請求項５）。
（２）外ケースを覆う耐火材の色分けにより印鑑入れを区別できる。また、耐火材により外ケースの耐火性を向上できる（請求項４）。
（３）外ケースを開けなくとも内部の印鑑が視認できる（請求項５）。